(57)【要約】【課題】  利用者がリーダ／ライタに対して非接触型ＩＣカード搭載の携帯端末の適切な面を向けて使用せず、リーダ／ライタから発信される電磁波を良好に受信することが困難な状態においても、非接触型ＩＣカードを起動させ、リーダ／ライタとの通信が行えるようにする。【解決手段】  通信装置５０に接続されたリーダ／ライタ５１と、携帯端末１に備えられた近距離無線通信手段との間で無線通信を行うのに、通信装置５０に、携帯端末１に対し光を発する発光手段５２を備え、携帯端末１に、通信装置５０の発光手段５２が発する光を受光しその光から発電する受光手段４１と、近距離無線通信手段に接続されたアンテナ３２で受信した電磁波及び受光手段４１で受光した光から発電できる電力を比較し、その比較結果に基いて、アンテナ３２又は受光手段４１を介して得られた電力を近距離無線通信手段に供給するよう制御する制御手段を備える。【選択図】        図１
2006109358.tif 000002
【特許請求の範囲】
【請求項１】
通信装置に接続されたリーダ／ライタとの間で、近距離無線通信を行う近距離無線通信手段を備えた携帯端末において、
前記通信装置が発する光を受光し、その光から発電する受光手段と、
前記近距離無線通信手段に接続されたアンテナで受信した電磁波及び前記受光手段で受光した光から発電できる電力を比較し、その比較結果に基いて、前記アンテナ又は前記受光手段を介して得られた電力を前記近距離無線通信手段に供給するよう制御する制御手段を有する
ことを特徴とする携帯端末。
【請求項２】
前記携帯端末の受光手段は、携帯端末本体の前記アンテナが設けられた面の反対面を前記通信装置のリーダ／ライタに近接させた際、前記リーダ／ライタ近傍に設けられた発光手段が発する光を良好に受光するように配置された
ことを特徴とする請求項１記載の携帯端末
【請求項３】
前記受光手段を、前記携帯端末本体の前記アンテナが設けられた面と反対側の面に設けた
ことを特徴とする請求項２記載の携帯端末。
【請求項４】
通信装置と、該通信装置に接続されたリーダ／ライタとの間で、近距離無線通信を行う近距離無線通信手段を備えた携帯端末とから構成される近距離無線通信システムにおいて、
前記通信装置として、
前記携帯端末に対して光を発する発光手段を備え、
前記携帯端末として、
前記通信装置の発光手段が発する光を受光し、その光から発電する受光手段と、
前記近距離無線通信手段に接続されたアンテナで受信した電磁波及び前記受光手段で受光した光から発電できる電力を比較し、その比較結果に基いて、前記アンテナ又は前記受光手段を介して得られた電力を前記近距離無線通信手段に供給するよう制御する制御手段を備えた
ことを特徴とする近距離無線通信システム。
【請求項５】
前記通信装置は改札機である
ことを特徴とする請求項４記載の近距離無線通信システム。
【請求項６】
前記携帯端末の受光手段は、携帯端末本体の前記アンテナが設けられた面の反対面を前記通信装置のリーダ／ライタに近接させた際、前記リーダ／ライタ近傍に設けられた発光手段が発する光を良好に受光するように配置された
ことを特徴とする請求項４記載の近距離無線通信システム。
【請求項７】
前記受光手段を、前記携帯端末本体の前記アンテナが設けられた面と反対側の面に設けた
ことを特徴とする請求項６記載の近距離無線通信システム。
【請求項８】
通信装置に接続されたリーダ／ライタと、携帯端末に備えられた近距離無線通信手段との間で無線通信を行う近距離無線通信方法において、
前記携帯端末を前記通信装置のリーダ／ライタに近接した際に、前記近距離無線通信手段で前記リーダ／ライタからの電磁波を受信するとともに、前記通信装置に設けられた発光手段からの光を前記携帯端末に設けられた受光手段で受光するステップと、
前記リーダ／ライタから受信した電磁波を発電して得られた電力と、前記発光手段から受光した光を発電して得られた電力を比較するステップと、
前記リーダ／ライタから得られた電力が前記発光手段から得られた電力よりも大きい場合、前記リーダ／ライタから得られた電力を前記近距離無線通信手段の電源として無線通信を行うステップと、
前記リーダ／ライタから得られた電力が前記発光手段から得られた電力よりも小さい場合、前記発光手段から得られた電力を前記近距離無線通信手段に供給するステップと、
前記発光手段から得られた電力を電源として前記近距離無線通信手段を起動するステップと、
前記リーダ／ライタからの電磁波を検出するステップと、
前記リーダ／ライタからの電磁波を検出した場合、前記近距離無線通信手段と前記リーダ／ライタが無線通信を行うステップを有する
ことを特徴とする近距離無線通信方法。
【発明の詳細な説明】
【技術分野】
【０００１】
本発明は、携帯電話端末等の携帯端末、その携帯端末を使用した近距離無線通信システム、及びその近距離無線通信方法に関し、特に、非接触型のＩＣカードと称される近距離無線通信機能が内蔵又は装着された端末を使用する通信システム及びその通信方法に関する。
【背景技術】
【０００２】
近年、交通機関の乗車券、会員証や社員証、店での代金決済手段用のカード等として、非接触型のＩＣカードの利用が急速に広まっている。非接触型のＩＣカードは、近接したリーダ／ライタとの間で無線通信を行って、認証処理を行うので、カードケースや財布などの中に入れたままで使用でき、磁気カードなどに比べて使い勝手がよい。
【０００３】
一方、このような非接触型のＩＣカード（或いはＩＣカードと同等の機能の回路部品）を、携帯電話端末などの携帯用の電子機器に内蔵させて、これらの機器を使用して、同様の認証や決済を行えるようにすることが提案されている。携帯電話端末などの携帯端末にＩＣカードを内蔵させる構成とする場合には、携帯端末からの取り出しができない状態でＩＣカードとしての機能部を組み込む場合と、携帯端末に用意されたカードスロットに、ＩＣカードを装着させる場合とが想定されるが、携帯端末に取り付けられた状態では、いずれの場合も同じように使用できる。なお、携帯端末にＩＣカード機能部を組み込む場合などには、ＩＣカード機能部が必ずしもカード型の形状をしているとは限らないが、以下の説明ではＩＣカードと称した場合、特に説明がない限りはＩＣカード機能を有する部分を含むものである。
【０００４】
非接触型のＩＣカードとしては、一般に電池無しのタイプが普及している。この電池無しタイプの非接触型ＩＣカードは、例えば、ＩＣカード用アンテナでリーダ／ライタからの電磁波を受信すると電磁誘導により電力を生成し、この電力でＩＣカードの機能部を起動させ、信号処理や通信を行うようにしているので電池などの外部電源が必要ない。
【０００５】
特許文献１には、携帯電話端末のダイヤルキーが設けられた上面部などに太陽電池パネルを設置した技術が開示されている。
【特許文献１】特開２００２−３５９６７６号公報
【発明の開示】
【発明が解決しようとする課題】
【０００６】
ところで、携帯端末に搭載したＩＣカード用アンテナは、携帯端末の裏表で著しく特性が異なる場合がある。特に、ＩＣカード機能部を携帯端末に搭載する場合、携帯端末に設けるＩＣカード用アンテナは携帯端末の大きさや設置スペースの関係から、通常のＩＣカードのアンテナよりも小さいものを設置せざるを得ず、この傾向が大きくなる。そのため、携帯端末のＩＣカード用アンテナの受信状況は、携帯電話端末をリーダ／ライタに近接したときのリーダ／ライタとの位置関係によって大きく影響される。例えば、携帯端末のＩＣカード用アンテナが設置された面が、リーダ／ライタの読み取り面と反対面を向いている場合、受信する電磁波の電界強度が弱く、ＩＣカード機能部の起電力に満たないことがある。そのため、ＩＣカード機能部が起動せず、リーダ／ライタとの無線通信を行うことができないという問題があった。
【０００７】
これを回避する方法として、携帯端末の表裏の両面にＩＣカード用アンテナを具備することが考えられるが、それでは携帯端末のサイズが大きくなるという新たな問題が生じてしまう。
【０００８】
また、特許文献１には、非接触型ＩＣカードの機能を組み込んだ携帯端末についての記載がなく、リーダ／ライタからの電磁波が良好に受信できない場合における解決手段は開示されていない。
【０００９】
本発明は斯かる点に鑑みてなされたものであり、リーダ／ライタに対して利用者が非接触型のＩＣカードを搭載した携帯端末の適切な面を向けて使用せず、リーダ／ライタから発信される電磁波を良好に受信することが困難な状態においても、非接触型ＩＣカードを起動させ、リーダ／ライタとの通信が行えるようにすることを目的とする。
【課題を解決するための手段】
【００１０】
上記課題を解決して目的を達成するため、本発明は、通信装置に接続されたリーダ／ライタと、携帯端末に備えられた近距離無線通信手段との間で無線通信を行うのに、通信装置に、携帯端末に対して光を発する発光手段を備え、携帯端末に、通信装置の発光手段が発する光を受光し、その光から発電する受光手段と、近距離無線通信手段に接続されたアンテナで受信した電磁波及び受光手段で受光した光から発電できる電力を比較し、その比較結果に基いて、アンテナ又は受光手段を介して得られた電力を近距離無線通信手段に供給するよう制御する制御手段を備えたことを特徴とする。
【００１１】
斯かる構成によれば、携帯端末に受光手段を設けたので、携帯端末を通信装置に近接させた際に発光手段が発する光を受光することができる。そして、携帯端末において、通信装置のリーダ／ライタからの電磁波より得られる電力と、同発光手段からの光より得られる電力を比較し、いずれか近距離無線通信手段の起動電力に達した方の電力を供給するようにしたので、リーダ／ライタから良好に電磁波を受信できず近距離無線通信手段の起動に必要な電力が確保できない状況であっても、発光手段から受信した光より得られる電力で近距離無線通信手段を動作させることができる。
【００１２】
また、上述の携帯端末の受光手段について、携帯端末本体のアンテナが設けられた面の反対面を通信装置のリーダ／ライタに近接させた際、リーダ／ライタ近傍に設けられた発光手段が発する光を良好に受光するように配置することが好適である。
【００１３】
斯かる構成によれば、携帯端末本体のアンテナが設けられた面の反対面を通信装置のリーダ／ライタに近接させた場合、携帯端末側で受信できる電磁波の電界強度が弱くなるが、携帯端末の受光手段を、リーダ／ライタ近傍に設けられた発光手段が発する光を良好に受光できる位置に配置した場合、近接時における携帯端末のアンテナとリーダ／ライタの正確な位置関係が要求されない。
【発明の効果】
【００１４】
本発明によれば、携帯端末に受光手段を設け、携帯端末を通信装置に近接させた際に発光手段が発する光を受光することができるにしてあり、また携帯端末において、通信装置のリーダ／ライタからの電磁波より得られる電力と、同発光手段からの光より得られる電力を比較し、いずれか近距離無線通信手段の起動電力に達した方の電力を供給するようにしたので、リーダ／ライタから良好に電磁波を受信できず近距離無線通信手段の起動に必要な電力が確保できない状況であっても、発光手段から受信した光より得られる電力で近距離無線通信手段を動作させることができ、無線通信が行えるという効果がある。
【００１５】
また、例えば、受光手段を、携帯端末本体の前記アンテナが設けられた面と反対側の面に設けるなど、携帯端末本体のアンテナが設けられた面の反対面を通信装置のリーダ／ライタに近接させた際、リーダ／ライタ近傍に設けられた発光手段が発する光を良好に受光するように配置した場合には、近接時における携帯端末のアンテナとリーダ／ライタとの正確な位置関係が要求されない。したがって、利用者が携帯端末をリーダ／ライタに近接させる際に、リーダ／ライタの読み取り面に対する携帯端末の向きや角度等を気にする煩わしさが解消され、使い勝手が向上するという効果がある。
【００１６】
さらに、上記通信装置を、例えば駅の改札機等に適用した場合、少なくともＩＣカード機能部の電力不足による認証失敗で立ち往生する利用者を少なくすることができ、後ろから続く他の利用者に迷惑をかける事態を減らすことができるという効果がある。
【発明を実施するための最良の形態】
【００１７】
以下、本発明の一実施の形態の例について、添付図面を参照しながら説明する。
本例においては、非接触型のＩＣカード機能を搭載した携帯端末を用い、イベント会場の入場や特定の部屋への入退室等の管理を行う改札システム（近距離通信システム）において、改札機側にＩＣカード用のリーダ／ライタと発光部を備え、携帯端末としてＩＣカード機能搭載の携帯端末に光センサを設けた例としてある。
【００１８】
図１は、本例の携帯端末を使用した近距離無線通信システムの一例として、鉄道交通機関等の改札システムを示した図である。図１において、５０はＩＣカード機能搭載の携帯端末と無線通信を行う自動改札機（通信装置）であり、リーダ／ライタ５１と、その近傍に発光部５２と、開閉部材５３を備える。改札機５０に設けられたリーダ／ライタ５１に、携帯端末としてＩＣカード機能を備えた携帯電話端末１を近接させ、リーダ／ライタ５１とアンテナ３２間で無線通信を行い、認証処理が正常に終了した場合、利用者の通過を許可し開閉部材５３を開く構成となっている。光センサ４１を設けた携帯電話端末１については、後に詳細に説明する。
【００１９】
上記改札機５０に設けられた発光部５２は、可視光又は赤外線等の光を出射し、リーダ／ライタ５１に近接してきた携帯電話端末１の光センサ４１に向けて適切な光量の光を照射する発光手段として機能する。本例ではＬＥＤ（Light Emitting Diode）を用いるとするが、この例に限るものではない。この発光部５２は、常時発光させてもよいし、点滅発光させてもよい。点滅発光の場合、一定間隔のタイミングで発光、あるいは携帯電話端末１が近接したときのみ発光するようにすることで、消費電力を抑えることができる。なお、発光部５２は、例えば、リーダ／ライタ５１のデータ読み取り面の中央にスペースを作り、そのスペースに配置するようにしてもよい。あるいは、透明又は半透明の素材で形成したリーダ／ライタ５１のデータ読み取り面の下に発光部５２を配置し、そのデータ読み取り面を透過した光を光センサ４１が受光する構成とすることなどが考えられる。
【００２０】
利用者が改札システムを利用して入場する際、携帯電話端末１の適正な面、すなわちＩＣカード用のアンテナ３２が設けられた面（下部筺体１ｂ）をリーダ／ライタ５１に近接させた場合、リーダ／ライタ５１とＩＣカード用のアンテナ３２が極近距離で対向し、リーダ／ライタ５１からの電磁波を良好に受信することができるようになっている。
【００２１】
一方、図１に示すように、利用者が改札システムを利用する際に携帯電話端末１の適正でない面、すなわちＩＣカード用のアンテナ３２が設けられた面の反対面（上部筺体１ａ）をリーダ／ライタ５１に近接させた場合、ＩＣカード用のアンテナ３２でリーダ／ライタ５１から受信できる電磁波の電界強度が小さくなり、ＩＣカード機能部が起動するのに十分な電力を供給できないことがある。この場合、携帯電話端末１の光センサ４１が、リーダ／ライタ１の近傍に設置された発光部５２からの光を受光して、その光から必要な電力を生成するように構成されている。
【００２２】
図２は、本例の改札システムに使用される携帯電話端末１の一例を示した概略外観図であり、それぞれ（Ａ）は表面図、（Ｂ）は裏面図を表す。図１に示す携帯電話端末１は、上部筐体１ａと、下部筐体１ｂと、これら上下筐体を回動可能に接続するヒンジ部２から構成され、上部筐体１ａが下部筐体１ｂに対して相対的に±１８０°回転する、いわゆる回転型としてある。携帯電話端末１の上部筐体１ａと下部筺体１ｂを閉じた状態を、図３に示す。
【００２３】
図２（Ａ）に示すように、携帯電話端末１の上部筐体１ａを下部筐体１ｂに対し相対的に回転させた開いた状態において、上部筐体１ａにはスピーカ１４、表示部１６及び光センサ４１を備える。この例では、光センサ４１は、上部筐体１ａの短軸方向に沿って長方形とし、表示部１６の下側に配置したが、この形状、配置に限るものではない。一方、下部筐体１ｂにはマイクロフォン１５を備える。そして、上部筐体１ａの一部にディスク・ジョグ・ダイヤルや押しボタンが配置されるとともに、下部筐体１ｂに押しボタンが複数配置され、操作手段として機能する操作部１７を構成している。また、図２（Ｂ）に示すように、下部筺体１ｂの裏面に、後述するＩＣカード機能部とリーダ／ライタの間で無線信号を送受信するためのＩＣカード用のアンテナ３２を埋設している。
【００２４】
図４は、携帯電話端末１の上部筐体１ａと下部筺体１ｂを閉じた状態の側面図を表すものである。携帯電話端末１をリーダ／ライタの読み取り面にかざしてＩＣカード機能を使用して通信を行う場合、通常の携帯電話端末を閉じた状態における適正な使用形態としては、下部筺体１ｂを下側にした状態でリーダ／ライタの読み取り面と近接させる。このとき、図３に示すようにＩＣカード用のアンテナ３２は下側を向いてリーダ／ライタと近接し、光センサ４１は上側を向いた状態になる。一方、この状態から上下を逆にした場合、つまり適正でない使用形態においては、ＩＣカード用のアンテナ３２が上側を向き、光センサ４１が下側を向いてリーダ／ライタと近接した状態となる(図１参照)。
【００２５】
次に、本例の携帯電話端末１のブロック構成例について、図５を参照して説明する。本例の携帯電話端末１は、無線電話用の基地局と無線通信を行うための無線電話通信用アンテナ１１を備え、そのアンテナ１１が無線電話通信用の通信回路１２に接続してあり、制御２０の制御で、基地局との間で無線通信を行うようにしてある。通信回路１２で通話用の通信を行う際には、受信した音声データを音声データ処理部１３に供給して音声データの受信処理を行ってからスピーカ１４に供給して出力させ、また、マイクロフォン１５が拾って音声データ処理部１３で処理された送信用の音声データを通信回路１２に供給して送信させる。
【００２６】
この携帯電話端末１は、照明部１９による照明をバックライトとする液晶ディスプレイなどで構成された表示部１６と、操作キーなどで構成された操作部１７を備える（図１参照）。表示部１６には、メール文、ウェブにアクセスさせた画面などを表示させることができ、操作部１７は、電話番号やメール文などの入力操作や、各種モード設定などが行える。
【００２７】
これらの携帯電話端末１内の各ブロックは、制御ライン２５を介して制御部２０などと接続してあり、またデータライン２６を介してデータ転送を行える構成としてあり、メモリ１８に必要なデータを記憶させるようにしてある。このメモリ１８には、携帯電話端末として必要なデータだけでなく、後述するＩＣカード機能部３１で必要なデータについても記憶させてもよい。また、セキュリティ機能を実現するプログラムや、そのセキュリティ機能を実行する上で必要なデータの保持を、このメモリ１８で行う。
【００２８】
本例の無線電話端末１の各部を作動させる電源については、電源部２１から供給される構成としてある。電源部２１としては、例えば、リチウムイオン電池などの二次電池と、その二次電池の出力を変圧する変圧手段などで構成される。電源部２１からの電源の供給については、制御部２０のように端末の動作モードにかかわらず常時電源が供給される部分と、端末の動作モードによって電源が供給される部分とがある。例えば、ＩＣカード機能部３０とリーダ／ライタ間で近距離無線通信を行う際、アンテナ３２でリーダ／ライタ側からの電磁波を受信して発電した電力により課金データ制御部３１を動作させることが可能であるが、必要により、電源部２１から供給する電源で、課金データ制御部３１を動作させることもできる。
【００２９】
また本例の携帯電話端末１は、近距離無線通信手段として機能する非接触ＩＣカード機能部３０を備える。この非接触ＩＣカード機能部３０は、ＩＣカードＲＦ信号用のアンテナ３２が接続された課金データ制御部３１を有し、ＩＣカードＲＦ信号用のアンテナ３２で、外部のリーダ／ライタから所定の周波数で送信される電波を受信して、リーダ／ライタと近接した状態であることを判断した場合に、そのリーダ／ライタと双方向の無線通信を行う。ＩＣカードＲＦ信号用のアンテナ３２とリーダ／ライタとの無線通信は、例えば数ｃｍ程度の距離のような非常に近接した距離間での無線通信である。ＩＣカードＲＦ信号用のアンテナ３２とリーダ／ライタとの間で無線伝送される周波数としては、例えば１３ＭＨｚ帯を使用するようにしてある。
【００３０】
課金データ制御部３１は、図示しないメモリが内蔵され、ユーザを識別・認証するコード、チャージされた金額、乗車券や各種チケットとして登録されたデータなどが、そのメモリに記憶される。ＩＣカード機能を実行する際に、課金や認証に必要なデータを課金データ制御部３１内のメモリ（又はメモリ１８）から読み出して、リーダ／ライタと近接無線通信でやり取りを行う。例えば、交通機関の乗車券として機能させる場合には、乗車券（定期券）として有効な区間、有効期間、或いは乗車券として引き落とすことが可能なチャージ金額などのデータや、この端末（ＩＣカード）の所持者に関する個人情報などを、課金データ制御部３１がリーダ／ライタに送って、課金処理や認証処理を行うようにしてある。社員証、会員証、代金決済用のカード、クレジットカードなどとして使用する場合には、それらの認証に必要な情報についても、やり取りされる。また、必要により、リーダ／ライタ側からメモリに書き込ませるデータをＩＣカード機能部３１に送り、ＩＣカード機能部３１のメモリに記憶されたデータを更新させる。
【００３１】
ＩＣカード機能部３０でリーダ／ライタと無線通信を行って、認証などの処理を行う際には、基本的な認証処理については、ＩＣカード機能部３１内で処理が完結するようにしてあるが、制御部２０で一部の機能を分担して実行するようにしてもよい。
【００３２】
光センサ４１は、ソーラーセル機能を有し、受光した光の光量に応じて、所定の発電量を発電し、その発電した電力は、制御部２０の指示により、電源供給スイッチ４２を介して課金データ制御部３１、又は携帯電話端末内の所定部分に供給される。例えば、光センサ４１により発電した電力を照明部２１の電源として用いたりすることができる。この場合、電源部２０の電力を消費しないで済み、光センサ４１からの電力を使用して表示部１６のバックライトのオン／オフ、照度の調節等を行うようにしてもよい。
【００３３】
制御部２０では、アンテナ３２がリーダ／ライタから受信した電磁波の電界強度を取得し、その受信した電磁波から発電できる電力を計算するとともに、光センサ４１で受光した光の光量を取得し、その受光した光から発電できる電力を計算する。そして、リーダ／ライタから得られる電力が、課金データ制御部３１を起動するのに必要な電力に達しないと判断した場合、電源供給スイッチ４２をオン状態に切り替え、光センサ４１で発電された電力を課金データ制御部３１に供給する。さらに、制御部２０は、リーダ／ライタ及び光センサ４１から供給する電力が課金データ制御部３１の起動電力に足りない場合であって、課金データ制御部３１を起動させる必要があるときには、電源部２１から電力を供給するよう切り替える。
【００３４】
以下、携帯電話端末１を改札機５０のリーダ／ライタ５１に近接させた際に、携帯電話端末１で行われる処理について、図６のフローチャートを参照して説明する。
【００３５】
図６において、まず携帯電話端末１をリーダ／ライタ５１に近接させた際に、携帯電話端末１の制御部２０は、アンテナ３２を介してリーダ／ライタ５１から受信した電磁波の電界強度を測定するとともに、光センサ４１で受信した光の光量を測定する（ステップＳ１）。次に、測定した電磁波の電界強度から発電できる電力と受光した光の光量から発電できる電力を比較し、リーダ／ライタ５１から得られる電力と発光部５２から得られる電力のいずれが大きいか判断する（ステップＳ２）。
【００３６】
リーダ／ライタ５１から得られる電力が、発光部５２から得られる電力より大きい場合、すなわちリーダ／ライタ５１に対し携帯電話端末１の適正な面が近接している場合には、課金データ制御部３１がリーダ／ライタ５１から得られた電力を利用して、リーダ／ライタ５１と無線通信を行い、改札機通過の通常動作（認証処理）を行う（ステップＳ３）。その認証処理の結果に応じて開閉部材５３の開又は閉を決定し、処理を終了する。
【００３７】
また、ステップＳ２の判断処理において、リーダ／ライタ５１から得られる電力が、発光部５２から得られる電力より小さい場合、すなわちリーダ／ライタ５１に対し携帯電話端末１の適正でない面が近接している場合には、電源供給スイッチ４２をオンにして、発光部５２より得られた電力を光センサ４１から課金データ制御部３１へ供給する。課金データ制御部３１は、その供給された電力を起動トリガとして起動する（ステップＳ４）。次に、課金データ制御部３１は受信帯域サーチを開始する、つまり本例のＩＣカード機能部３０とリーダ／ライタ５１間の無線通信で使用している１３ＭＨｚ帯の電磁波をサーチし(ステップＳ５)、ＩＣカード用のアンテナ３２が上記リーダ／ライタ５１からの電磁波を受信したどうかを判定する（ステップＳ６）。
【００３８】
そして、リーダ／ライタ５１からの１３ＭＨｚ帯の信号を受信した場合、課金データ制御部３１は光センサ４１から供給される電力を電源として、リーダ／ライタ５１とデータをやり取りし、改札機通過の通常動作（認証処理）を行う（ステップＳ７）。その認証処理の結果に応じて開閉部材５３の開又は閉を決定し、処理を終了する。
【００３９】
また、ステップＳ６の判断処理において、改札機５０のリーダ／ライタ５１からの１３ＭＨｚ帯の信号を受信できなかった場合、携帯電話端末１を通常の待ち受け状態へ移行させて処理を終了する。これは、例えば携帯電話端末１の光センサ４１が、太陽光など改札機５０の発光部５２とは全く関係のない光を受信してしまった場合などが考えられる。仮に改札機５０のないところで光入射によりＩＣカード機能部３０の課金データ制御部３１が起動したとしても、その電源は光センサ４１からの電力でまかなわれるため、電源部２１の電力を消費しない。
【００４０】
上述した構成によれば、改札システム等の近距離無線通信システムにおいて、改札機５０のリーダ／ライタ５１の近傍に発光部５２を設けるとともに、携帯電話端末１のＩＣカード用アンテナ３２の反対面に上記発光部５２からの光を受信できる光センサ４１を設けるようにしている。そして、携帯電話端末１の適正でない面、すなわちＩＣカード用のアンテナ３２が設けられた面の反対面をリーダ／ライタ５１に近接させた際に、ＩＣカード用アンテナ３２が受信した電磁波の電界が課金データ制御部３１の起動電圧に満たない場合でも、ＩＣカード用アンテナ３２の反対側に設けた光センサ４１により、課金データ制御部３１の起動時の電力と起動後に無線通信するための電力を得ることができる。
【００４１】
したがって、リーダ／ライタ５０に対し、携帯電話端末１のアンテナが設けられた面を裏返して近接させるなど、リーダ／ライタ５１から電磁波を良好に受信できない場合でも、電力不足により認証処理が行われない状況をなくすことができる。これにより、改札機５０の前で、少なくともＩＣカード機能部の電力不足による認証失敗で立ち往生する利用者を少なくすることができ、後ろから続く他の利用者に迷惑をかける事態を減らすことができる。
【００４２】
また、利用者が、携帯電話端末１をリーダ／ライタ５１に近接させる際に、リーダ／ライタ５１の読み取り面に対する携帯電話端末１の向きや角度等を気にする必要がなく、使い勝手が向上する。
【００４３】
さらに、リーダ／ライタ５１からの電磁波によって十分な電力を得ることができなくても、光センサ４１で受光した光から生成した電力を利用することによって、携帯電話端末１内部の電源部２１の節約が可能である。
【００４４】
なお、上述の実施の形態では、携帯電話端末の一例として回転型としてあるが、これに限るものではなく、その他いわゆるスライド型、折り畳み型あるいはクラムシェル型といわれる２つ折り方式のもの、あるいは１つの筐体から構成されているスティック型などであってもよい。この場合、利用者が通常改札機を通過する際の携帯電話端末の状態において、ＩＣカード用のアンテナと光センサを反対面に設置するなど、携帯電話端末１がリーダ／ライタ５１に近接した際にＩＣカード用のアンテナの受信状態が良くないときに、光センサが改札機に設置された発光部の光を良好に受光できる配置とすることが好ましい。
【００４５】
さらに、携帯端末として携帯電話端末に適用した例について説明したが、これに限らず、例えば、ＩＣカード機能を搭載したＰＤＡ（携帯情報端末）に適用するなど、本発明の要旨を逸脱することなくその他種々の構成を取り得ることは勿論である。
【図面の簡単な説明】
【００４６】
【図１】本発明の一実施の形態による改札システムを示す図である。
【図２】本発明の一実施の形態による改札システムに使用する携帯端末の一例を示す図である。
【図３】本発明の一実施の形態による携帯端末を閉じた状態を示す図である。
【図４】本発明の一実施の形態による携帯端末の側面図である。
【図５】本発明の一実施の形態による携帯端末のブロック構成図である。
【図６】本発明の一実施の形態による改札機通過時における携帯端末側の処理を示すフローチャートである。
【符号の説明】
【００４７】
１…携帯電話端末、２…ヒンジ部、１１…アンテナ、１２…無線電話用通信回路、１３…音声処理部、１４…スピーカ、１５…マイクロフォン、１６…表示部、１７…操作部、１８…メモリ、１９…バックライト、２０…制御部、２１…電源部、２５…制御ライン、２６…データライン、３０…ＩＣカード機能部、３１…課金データ制御部、３２…ＩＣカード用アンテナ、４１…光センサ、４２…電源供給スイッチ、５０…改札機、５１…リーダ／ライタ、５２…発光部
【図１】
2006109358.tif 000003
【図２】
2006109358.tif 000004
【図３】
2006109358.tif 000005
【図４】
2006109358.tif 000006
【図５】
2006109358.tif 000007
【図６】
2006109358.tif 000008